(57)【特許請求の範囲】
【請求項１】
担持フレーム（Ｔ）を含む分配ベルトコンベヤ装置（Ｖ）を有した可搬式フィーダ（Ｂ）であって、前記分配ベルトコンベヤ装置（Ｖ）が前記可搬式フィーダ（Ｂ）に脱着可能に連結され、該分配ベルトコンベヤ装置（Ｖ）が前記担持フレーム（Ｔ）に対して高さ方向に旋回軸（５）まわりに少なくとも一つの液圧シリンダ（Ｚ）によって調節可能であり、前記少なくとも一つの液圧シリンダ（Ｚ）は前記分配ベルトコンベヤ装置（Ｖ）と担持フレーム（Ｔ）の間に装架され、前記分配ベルトコンベヤ装置（Ｖ）を上下に回動させ、
前記可搬式フィーダ（Ｂ）が少なくとも一時的に前記分配ベルトコンベヤ装置（Ｖ）用の取付装置（Ｍ）を有し、
前記取付装置（Ｍ）は地面（２０）に接地するとともに下から前記担持フレーム（Ｔ）に係合するようになっており、
連結組立体（Ａ１，Ａ２，Ａ３，Ａ１′，Ａ２′，Ａ３′）が前記取付装置（Ｍ）と前記担持フレーム（Ｔ）とを連結するため、前記担持フレーム（Ｔ）及び前記取付装置（Ｍ）に設けられ、
前記少なくとも一つの液圧シリンダ（Ｚ）は、前記分配ベルトコンベヤ装置（Ｖ）の前記担持フレーム（Ｔ）から遠い方の端部にある接地支持体（Ｒ）が地面（２０）に乗るように前記可搬式フィーダ（Ｂ）上の前記分配ベルトコンベヤ装置（Ｖ）を接地位置へ調節するために設けられていて、他の少なくとも一つの液圧シリンダ（Ｚ１）が前記担持フレーム（Ｔ）が前記取付装置（Ｍ）に支持されるように設けられている、可搬式フィーダ（Ｂ）。
【請求項２】
前記分配ベルトコンベヤ装置（Ｖ）が前記可搬式フィーダ（Ｂ）に取り付けられている間、前記取付装置（Ｍ）に設けられた前記連結組立体（Ａ１′，Ａ２′，Ａ３′）が前記担持フレーム（Ｔ）の対応する連結組立体（Ａ１，Ａ２，Ａ３）より低い位置にある、請求項１に記載された可搬式フィーダ。
【請求項３】
前記担持フレーム（Ｔ）が、側面図で見て、上部ストラット（７）、下部ストラット（８）および連結梁（９）を有する少なくとも１つの三角形構造体を含み、
前記上部ストラット（７）はその端部で固定部分（１３）によって前記可搬式フィーダ（Ｂ）に連結され、
前記下部ストラット（８）は延長部（１０）を有し、該延長部（１０）の端部で、回転継手として形成された固定部分（１４）によって前記可搬式フィーダ（Ｂ）に連結されている、請求項１に記載された可搬式フィーダ。
【請求項４】
前記接地支持体（Ｒ）は少なくとも一つのローラである、請求項１に記載された可搬式フィーダ。
【請求項５】
担持フレーム（Ｔ）を含む分配ベルトコンベヤ装置（Ｖ）を有した可搬式フィーダ（Ｂ）であって、前記分配ベルトコンベヤ装置（Ｖ）が前記可搬式フィーダ（Ｂ）に脱着可能に連結され、該分配ベルトコンベヤ装置（Ｖ）が前記担持フレーム（Ｔ）に対して高さ方向に旋回軸（５）まわりに少なくとも一つの液圧シリンダ（Ｚ）によって調節可能であり、前記少なくとも一つの液圧シリンダ（Ｚ）は前記分配ベルトコンベヤ装置（Ｖ）と担持フレーム（Ｔ）の間に装架され、前記分配ベルトコンベヤ装置（Ｖ）を上下に回動させ、
前記可搬式フィーダ（Ｂ）が前記分配ベルトコンベヤ装置（Ｖ）用の取付装置（Ｍ′）を有し、
該取付装置（Ｍ′）は前記担持フレーム（Ｔ）と一体にされていて、前記可搬式フィーダ（Ｂ）と前記担持フレーム（Ｔ）の間に設けられた少なくとも一つの液圧シリンダ（Ｚ２）によって少なくとも一時的に地面（２０）に接地するようになっていて、
前記取付装置（Ｍ′）は、前記分配ベルトコンベヤ装置（Ｖ）とともに前記可搬式フィーダ（Ｂ）に関して可動であり、
前記分配ベルトコンベヤ装置（Ｖ）は、前記分配ベルトコンベヤ装置（Ｖ）の前記担持フレーム（Ｔ）から遠い方の端部にある接地支持体（Ｒ）が地面（２０）に乗るように前記担持フレーム（Ｔ）と前記分配ベルトコンベヤ装置（Ｖ）の間に設けられた他の少なくとも一つの液圧シリンダ（Ｚ）によって接地位置に可動である、可搬式フィーダ。
【請求項６】
前記担持フレーム（Ｔ）と一体にされた前記取付装置（Ｍ′）が少なくとも３６０°旋回可能な接地車輪（１７′）を有している、請求項５に記載された可搬式フィーダ。
【請求項７】
可搬式フィーダ（Ｂ）の分配ベルトコンベヤ装置（Ｖ）用の取付装置（Ｍ）であって、
該分配ベルトコンベヤ装置（Ｖ）が担持フレーム（Ｔ）を有しているとともに前記可搬式フィーダ（Ｂ）から分離可能であり、
前記取付装置（Ｍ）が、接地車輪（１７）を備えたフレーム（１５）と、前記担持フレーム（Ｔ）用の連結組立体（Ａ１′，Ａ２′，Ａ３′）を有し、
前記取付装置（Ｍ）が前記分配ベルトコンベヤ装置（Ｖ）の取付または取外しのために前記担持フレーム（Ｔ）に連結可能である、取付装置（Ｍ）。
【請求項８】
少なくとも１つの液圧シリンダ（Ｚ１）が前記担持フレーム（Ｔ）に連結される前記フレーム（１５）に設けられている、請求項７に記載された取付装置。
【請求項９】
前記取付装置（Ｍ）が液圧シリンダ（Ｚ１）用の液圧供給源を有する、請求項８に記載された取付装置。
【請求項１０】
前記接地車輪（１７）が、前記フレーム（１５）に設けた垂直車輪調節軸（１６）の周りに少なくとも３６０°調節可能である、請求項７に記載された取付装置。
【発明の詳細な説明】
【０００１】
（技術分野）
本発明は、請求項１または請求項５の前文に記載された可搬式フィーダおよび請求項７の前文に記載された可搬式フィーダ用取付装置に関するものである。
【０００２】
（従来技術）
例えば、道路面の建設の間、可搬式フィーダは長年にわたって舗装機械を援助するため使用されてきた。可搬式フィーダは中間に舗装材料を貯蔵し、例えば、舗装材料の移送中操作を簡単化しかつ舗装機械に対して連続した作業進行を可能にするため、それを少なくとも１つの舗装機械に供給する。大型のそのような可搬式フィーダは、分配ベルトコンベヤ装置を備え、このため、大型かつ大重量である。その分配ベルトコンベヤ装置を備えた可搬式フィーダは、１つの建設位置から他の位置には輸送し難い。このため、分配ベルトコンベヤ装置は必要に応じて取り外される。取付工程または取外し工程のため少なくとも１つの巻上装置が必要で、該装置を可搬式フィーダまで輸送しなければならない。分配ベルトコンベヤ装置の取付けまたは取外しは、厄介である。
【０００３】
（発明が解決しようとする課題）
本発明の課題は、可搬式フィーダがより一般的な方法で使用可能でありかつより容易に輸送可能であるような、補助的巻上装置無しに少なくとも分配ベルトコンベヤ装置の取外しを可能にする、上記種類の可搬式フィーダを製造すること、また巻上装置の必要無しに少なくとも分配ベルトコンベヤ装置の簡単な取外しを可能にする取付装置を製造することである。
【０００４】
（発明の開示）
前記課題は、請求項１、請求項５または請求項７に記載された特徴によって解決される。
【０００５】
少なくとも一時的に可搬式フィーダに設けられる取付装置によって、また駆動組立体によって、可搬式フィーダは、これらの操作のため補助巻上装置が必要でないように、分配ベルトコンベヤ装置の取外し、取付用機上装置を備えている。このことは可搬式フィーダの一般的な適用性を改善する。少なくとも１つの巻上装置を設けることおよびその複雑な操作は排除される。担持フレームのみがその分配ベルトコンベヤ装置とともに、取付装置との共働に対して準備する必要がある。低位置に設置する取付装置における連結組立体によって、それは地上からさえも作業可能である。
【０００６】
特に便利なことに、取付装置は少なくとも部分的に、分配ベルトコンベヤ装置の担持フレームにそれが必要に応じて常に使用可能であるように一体化される。駆動組立体は、担持フレームを取付けまたは取外しの際、変位させるのに役立つが、可搬式フィーダに取り付けられた分配ベルトコンベヤ装置を保持しかつ位置決めするのにも使用可能である。例えば、分配ベルトコンベヤ装置は最善の作業高さにその作業位置を保持可能である。
【０００７】
取付装置は構造的に簡単、安価かつコンパクトである。取付装置は、その担持フレームに対して分配ベルトコンベヤ装置の快適かつ迅速な取付けまたは取外しを可能にし、また、接地車輪によって、取外された分配ベルトコンベヤ装置を地上で移動することも可能である。取付装置は、その適用位置に容易に輸送可能であり、その連結組立体が担持フレームより下に設置されているため、地面から取外しまたは取付を実施することが可能である。任意に、構造的に簡単な取付装置はそのような各可搬式フィーダの装置に属している。取付装置は分配ベルトコンベヤ装置が可搬式フィーダから取外されるとき分配ベルトコンベヤ装置に保持可能である。分配ベルトコンベヤ装置を取り付けるとき可搬式フィーダに取付装置を保持することさえも可能である。
【０００８】
取付けまたは取外しのため分配ベルトコンベヤ装置の高さ調節装置を使用するため、該高さ調節装置は分配ベルトコンベヤ装置の自由端を地面まで下降させることを可能にする変位行程を有する。
【０００９】
便利なことに、少なくとも１つの液圧シリンダがそれぞれ取付けまたは取外しのため使用され、該液圧シリンダは基本的に可搬式フィーダの作業中、分配ベルトコンベヤ装置をその旋回軸の周りに調節するために使用する。それゆえ、前記シリンダ、多くの場合一対のシリンダが二重の機能を満足する。
【００１０】
有利なのは、担持フレームの構造が、その中に固定部分および連結組立体が一体化される二重三角形構造に似ていることである。
【００１１】
取付または取外し中、分配ベルトコンベヤ装置を保護するためそして操作を容易にするため、接地支持体は分配ベルトコンベヤ装置の自由端に設けなければならない。
【００１２】
高さ調節装置に設けた実質的に垂直な旋回軸は、可搬式フィーダの作業に対する分配ベルトコンベヤ装置の楽な横方向調節を可能にする。そのような横方向調節は、もし分配ベルトコンベヤ装置を垂直旋回軸の周りに調節する遠隔制御回転駆動装置を設けるならば、自動的に遠隔制御で実施可能である。取付装置が部分的に担持フレーム内に一体化されている、可搬式フィーダの取付装置に対して、駆動組立体を担持フレームと可搬式フィーダの斜めのコンベヤとの間に連結しかつ担持フレームからまたは斜めのコンベヤのいずれかから、分配ベルトコンベヤ装置を地上に設定するとすぐに解放可能な昇降シリンダによって構成することが便利である。それらの昇降シリンダは可搬式フィーダからまたは地上からのいずれかから制御可能である。
【００１３】
分配ベルトコンベヤ装置の安定な支持は、撓みおよび捩りに対して剛直で、そこに高さ調節装置が設けられている横ビームを介して相互に連結された二つの三角形構造体を有する担持フレームによって達成される。担持フレームの下端は、可搬式フィーダの副構造体に適当に旋回可能に連結されている。
【００１４】
この場合、担持フレームに接地車輪を設けることは便利であり、該接地車輪は下向きに突出しかつ取り外した分配ベルトコンベヤ装置を操作することを可能にしている。有利なのは、接地車輪が少なくとも３６０°調節可能であることである。
【００１５】
分配ベルトコンベヤ装置を保持構造体内で上下に旋回させるための液圧シリンダが、保持構造と可搬式フィーダに面する分配ベルトコンベヤ装置の一端との間に、液圧シリンダが分配ベルトコンベヤ装置の横方向運動に追随可能に、連結されている場合、例えば、機械的、電気的、液圧的、空気的等の、ランダム駆動理論による遠隔制御された回転駆動装置が、自動分配ベルトコンベヤ装置の横方向旋回運動を実施するため使用可能である。可搬式フィーダの副構造体に対するおよび／または取付装置に対する分配ベルトコンベヤ装置またはその担持フレームの運動は、取付または取外しに対して必要なように、担持フレームが可搬式フィーダにそれが上下に旋回可能であるならば、分配ベルトコンベヤ装置の高さ調節装置によって制御可能である。このことは、取付装置の極めて簡単な設計および快適な処理をもたらす。あるいはまたはさらに、取付装置のフレームに少なくとも１つの液圧昇降シリンダを設けることが便利であり、該液圧昇降シリンダは担持フレームについで液圧昇降シリンダが、随意に分配ベルトコンベヤ装置の高さ調節装置と共働して、必要な運動を生じさせるように連結可能である。この液圧昇降シリンダ、便利なのは一対の液圧シリンダを制御するため、取付装置はそれ自体の液圧供給源を備えることができる。取付装置が低いという構造的効果を維持するため、液圧昇降シリンダを一時的に可搬式フィーダの液圧装置に連結可能及び可搬式フィーダから制御可能としてもよい。
【００１６】
担持フレームより下への取付装置の正確な位置決めのためおよび／または取り外した分配ベルトコンベヤ装置を可搬式フィーダにまたはそこから正確に位置決めするため、接地車輪はそれらの接地車輪支持軸の周りに少なくとも３６０°調節可能であるのが便利である。取付装置を備えた分配ベルトコンベヤ装置は可搬式フィーダへの取付工程のため輸送され、そこに正確にかつ楽にしかも比較的低い動力効果をもって位置決め可能である。取付装置上に支持した、取り外した分配ベルトコンベヤ装置は可搬式フィーダに対して横方向に移動可能である。
【００１７】
担持フレームの連結組立体および固定部分も、取り外し得る挿入ボルトを使用するのならば、楽にかつ迅速に解放および締付可能である。
【００１８】
本発明の目的を達成する実施例を、以下、図面を参照して説明する。
【００１９】
（発明を実施するための最良の形態）
可搬式フィーダＢは、図１において、車輪付きトラックフレームＦ上に設けられた副構造体１、前記副構造体における材料ホッパＧおよび一体の材料コンベヤ２、例えば、斜めのコンベヤＳを有する。届く範囲を延長しまた可搬式フィーダＢの横、または路傍もしくは路傍の傾斜地等で作動する舗装機械への供給を可能にするため、自由端に終わる分配ベルトコンベヤ装置Ｖが設けられており、該ベルトコンベヤ装置はコンベヤ２の自由端の概ね下に設置される。分配ベルトコンベヤ装置の自由端は高さ方向および／または横方向に高さ調節装置によって調節可能である。
【００２０】
分配ベルトコンベヤ装置Ｖはハウジング４に受け入れられたベルト３を有し、かつ担持フレームＴを介して可搬式フィーダＢの副構造体１に脱着可能に取り付けられている。旋回軸５は担持フレームＴと分配ベルトコンベヤ装置Ｖとの間に設けられている。保持構造体６は垂直軸６′の周りに回転可能である。少なくとも１つの液圧シリンダＺがベルトコンベヤ装置Ｖを旋回軸５の周りに上下方向に旋回させるように働き、またそれぞれの位置において分配ベルトコンベヤ装置を支持するように働く。旋回軸５および液圧シリンダＺは分配ベルトコンベヤ装置Ｖの高さ調節装置を形成する。前記高さ調節装置の調節行程は、分配ベルトコンベヤ装置Ｖの自由端が地面２０に降下できるように選択される。接地支持体、例えば、ローラＲが自由端に設けられている。
【００２１】
担持フレームＴは、側面図で見て、上部ストラット７、下部ストラット８および連結梁９を有する三角形構造体状に設計されている。下部ストラット８は１０で延長されている。上部ストラット７用上部支持体１１および下部ストラット８用下部支持体１２が、可搬式フィーダＢの副構造体１に設けられている。連結は固定部分１３，１４によって確立され、それらは取外し可能な挿入ボルトによって接合するのが便利である。少なくとも延長部１０と支持体１２との間の固定部分１４は、回転継手として形成される。
【００２２】
延長部１０および下部ストラット８は、担持フレームＴの両側に、それぞれ連結組立体Ａ１，Ａ２および随意にＡ３を有し、図２によれば、取付装置Ｍの対応する連結組立体Ａ１′からＡ３′に嵌っている。
【００２３】
分配ベルトコンベヤ装置Ｖは、その担持フレームＴとともに可搬式フィーダＢから取外し可能である。取外しのためには、固定部分１３，１４のみを切り離すことが必要であり、液圧シリンダＺは可搬式フィーダＢの液圧装置から解放されなければならない。
【００２４】
分配ベルトコンベヤ装置Ｖをその担持フレームＴとともに（クレーン等の）巻上げ装置を使用しないで可搬式フィーダＢから分解して取り外すために、図２に示す取付装置Ｍを少なくとも一時的に可搬式フィーダＢに設ける。
【００２５】
取付装置Ｍは、垂直車輪調節軸１６および接地車輪１７を有する剛直フレーム１５を備えている。接地車輪１７は、車輪調節軸１６の周りに少なくとも３６０°だけフレーム１５が、製図平面に平行に、製図平面に垂直にまたは任意に斜めに図２の地面上に載るように、旋回可能である。前側連結組立体Ａ１′および支持体２４上の後側連結組立体Ａ２′が、フレーム１５に設けられている。前記連結組立体Ａ１′，Ａ２′は、担持フレームＴの連結組立体Ａ１，Ａ２にそれぞれ嵌合している。取付装置Ｍは、連結組立体Ａ１′，Ａ２′とともに担持フレームＴの下に入り可搬式フィーダに取り付けられる高さである。
【００２６】
さらに、少なくとも１つの液圧昇降シリンダＺ１を取付装置Ｍのフレーム１５に設けることが可能である。前記液圧昇降シリンダＺ１は担持フレームＴで連結組立体Ａ３に嵌合する別の連結組立体Ａ３′を有する。２つの液圧シリンダＺ１が存在するのが便利である。図示しない、簡単化した取付装置Ｍの実施例においては、液圧昇降シリンダＺ１は省略可能である。取付装置Ｍは可搬式フィーダＢに永久的に残すことができる。そして、接地車輪１７を除去してもよい。
【００２７】
ここで、図３から図６を参照して、分配ベルトコンベヤ装置Ｖの取外しを説明する。
【００２８】
図３において、取付装置Ｍは担持フレームＴより下に連結組立体Ａ１′が、例えば、挿入ボルト２１によって、連結組立体Ａ１に連結できるように設定される。ついで液圧昇降シリンダＺ１が、可搬式フィーダＢの液圧装置１８に少なくとも１つの連結管１９および急速連結器２２によって連結される。あるいは、取付装置Ｍ自体がそれ自体の液圧供給装置を備えることができる。
【００２９】
液圧昇降シリンダＺ１はそれぞれ、その連結組立体Ａ３′が担持フレームＴの連結組立体Ａ３に連結可能になるまで延長される。固定部分１３，１４は（それらの挿入ボルト２３によって）係合しており、担持フレームＴとともに分配ベルトコンベヤ装置Ｖの重量の一部を支持している。
【００３０】
図４によれば、液圧シリンダＺは、接地支持体Ｒが地面２０に接地するように分配ベルトコンベヤ装置Ｖを傾けるように制御される。ついで各液圧昇降シリンダＺ１は、固定部分１３で担持フレームＴを解放するように作動する。各挿入ボルト２３は除去される。引き続いて、液圧昇降シリンダＺ１のみによってまたは液圧シリンダＺ１と液圧シリンダＺの複合作用によって、担持フレームＴは可搬式フィーダＢの副構造体１における固定部分１４の挿入ボルト周りに、連結組立体Ａ２，Ａ２′が会合し、挿入ボルトによって互いに結合可能となるまで、下げられる（図５）。液圧シリンダＺは液圧を停止され、可搬式フィーダＢの液圧装置１８から分離される。液圧昇降シリンダＺ１はまた、急速連結器２２を開放することにより分離される。最後に、固定部分１４は、挿入ボルトを引き出すことにより分離される。取付装置Ｍ、担持フレームＴおよび分配ベルトコンベヤ装置Ｖから成る全装置は、ここで可搬式フィーダＢから離される（図６）。旋回可能な接地車輪１７により、全装置は製図平面の方向に引き離し可能であるか、または横方向に押圧および／または引き離し可能である。
【００３１】
あるいは、担持フレームＴは、液圧昇降シリンダＺ１がない場合に、液圧昇降シリンダＺのみによって取付装置Ｍ上に降下可能である。
【００３２】
分配ベルトコンベヤ装置Ｖはその担持フレームＴともに、逆順に可搬式フィーダＢに取り付けられる。
【００３３】
取付装置Ｍをできるだけ少数の部品から製造すること及び担持フレームＴが可搬式フィーダＢに設けられるとき、取付装置を担持フレームＴの下に押し込むことができる高さにすることは都合が良い。あるいは、一層高いＵ字形のかつ車輪を備えたフレームを取付装置Ｍに使用することが可能であり、フレームの中に連結組立体Ａ１′，Ａ２′および随意でＡ３′のみが、それらが担持フレームより下に押込可能であるように低く位置し、一方、担持体はそのＵ字形フレームの脚部分が担持フレームＴの側方に設置される。そのようなフレームは幾つかの車輪軸を持つことが可能であり、かつ受け入れられた分配ベルトコンベヤ装置Ｖを支持するため十分に長く設計可能である。
【００３４】
図７の可搬式フィーダの実施例において取付装置Ｍ′は可搬式フィーダＢの常設部分である。接地車輪１７′は、好適には３６０°旋回可能に、担持フレームＴに常設されている。担持フレームＴは、例えば、撓みおよび捩りに対して剛直な横ビームＱによって相互に連結した２つの三角形構造体からなる。保持構造体６は横ビームＱに取り付けられている。保持構造体６における遠隔制御回転駆動装置Ｄは、実質的に垂直な旋回軸６′の周りに保持構造体６を回転するように作用する。分配ベルトコンベヤ装置Ｖの傾斜を調節しまた（ローラＲが地面に接触するまで）それを地面に対して傾斜するように作用するシリンダＺは、保持構造体６と可搬式フィーダＢに向いた分配ベルトコンベヤ装置Ｖの端部に結合されている。液圧昇降シリンダＺ２は、可搬式フィーダＢのコンベヤＳの両側に結合され、該コンベヤＳは斜めのコンベヤ２によって構成されている。昇降シリンダＺ２は、固定部分１３′によって担持フレームＴに脱着可能に連結されている。液圧昇降シリンダＺ２は、取付けまたは取外し中援助し、斜めのコンベヤ２の自由端に対して分配ベルトコンベヤ装置の最善の位置を調節するように作用する。さらに、固定部分１４において、担持フレームＴは、可搬式フィーダＢの副構造体１に旋回可能に連結されている。
【００３５】
分配ベルトコンベヤ装置Ｖを取外すため、まず分配ベルトコンベヤ装置Ｖの自由端が液圧シリンダＺによって地面２０まで傾けられる。引続いてまたは同時に、液圧シリンダＺ２は接地車輪１７′が地面２０に接触するまで伸長される。同時に液圧シリンダＺは再び担持フレームＴがその固定部分１４から離されるまで引っ込められる。ついで、固定部分１４における連結は、液圧昇降シリンダＺ２が固定部分１４から離されるのと同様に、分配ベルトコンベヤ装置Ｖ、担持フレームＴおよび担持フレームＴにおける取付装置Ｍ′が地面２０上で操作可能になるように、解放される。構造装置の取付は、反対の順序で実施される。
【図面の簡単な説明】
【図１】  作業位置におけるその分配ベルトコンベヤ装置を備えた可搬式フィーダの側面図。
【図２】  取付装置の側面図で、該取付装置は少なくとも一時的に分配ベルトコンベヤ装置を取付または除去するため可搬式フィーダに設けることができる。
【図３】  分配ベルトコンベヤ装置の分離の準備の際取付装置を正確に挿入した可搬式フィーダの図。
【図４】  分配ベルトコンベヤ装置の取外し状態の図。
【図５】  分配ベルトコンベヤ装置の別の取外し状態の図。
【図６】  分配ベルトコンベヤ装置取外し完了後の、可搬式フィーダ、分配ベルトコンベヤ装置および取付装置の図。
【図７】  完全に一体の取付装置を有する可搬式フィーダの別の実施例の図。
【図１】
0003740078.tif 000002
【図２】
0003740078.tif 000003
【図３】
0003740078.tif 000004
【図４】
0003740078.tif 000005
【図５】
0003740078.tif 000006
【図６】
0003740078.tif 000007
【図７】
0003740078.tif 000008